(57)【要約】【課題】天井クレーンの盛替え作業を効率的に行なうことができる天井クレーンの盛替え方法及び台車を提供する。【解決手段】下部に車輪Ｗ１と上部に固定部５６，５７とを備えた台車５０に、固定部５６，５７によって天井クレーン１０を固定して保持させ、天井クレーン１０を建物２０の第１設置場所の大梁２１及び小梁２２から取り外す。そして、台車５０を、車輪Ｗ１によって、新たな設置場所（第２設置場所）まで移動させる。新たな設置場所に到着した場合、台車５０に保持させた天井クレーン１０を、建物２０の第２設置場所の大梁２１及び小梁２２に取り付け、台車５０の固定部５６，５７を天井クレーン１０から取り外す。【選択図】図３
2020093919.tif 000002
【特許請求の範囲】
【請求項１】
天井クレーンを盛替える方法であって、
下部に移動部と上部に固定部とを備えた台車に、前記固定部によって前記天井クレーンを固定して保持させ、前記天井クレーンを建物躯体の第１設置場所から取り外し、
前記台車を、前記移動部によって、第２設置場所まで移動させ、
前記台車に保持させた前記天井クレーンを前記建物躯体の第２設置場所に取り付け、前記固定部を前記天井クレーンから取り外すことを特徴とする天井クレーンの盛替え方法。
【請求項２】
前記固定部は、前記天井クレーンの走行レールと嵌合する嵌合部と、前記嵌合部を昇降させる昇降機構部とを備え、
前記台車は、前記昇降機構部により前記嵌合部を上昇させて、前記走行レールと嵌合させ、前記天井クレーンを固定して保持することを特徴とする請求項１に記載の天井クレーンの盛替え方法。
【請求項３】
天井クレーンの盛替えに用いる台車であって、
上部に設けられ昇降可能な複数の固定部と、
下部に設けられた移動部とを備え、
前記固定部は、昇降機構部と、前記天井クレーンの下面に当接して固定する当接部とを備えたことを特徴とする台車。
【請求項４】
前記天井クレーンと建物躯体との取り付け及び取り外しを行なう作業者が上る足場を更に備えたことを特徴とする請求項３に記載の台車。
【発明の詳細な説明】
【技術分野】
【０００１】
本発明は、天井クレーンの盛替え方法及びそれに用いられる台車に関する。
【背景技術】
【０００２】
建物の外装工事においては、建物の取付階まで持ち上げた外装材を、建物の中から小型の移動式クレーンを使って取り付け、又は鉄骨工事に用いるタワークレーンで外装材を持ち上げて取り付けることが一般的である（例えば、非特許文献１参照。）。しかしながら、作業が繁忙なタワークレーンを外装材の取付作業に用いた場合には、建物の工期の遅延に繋がる。そこで、外装材の取付作業においてクレーンの占有時間を短縮するための方法が検討されている（例えば、特許文献１参照。）。この文献に記載の外装材取付装置は、一対の吊りビームと、連結支柱と、脚部と、トロリと、チェーンブロックと、ゴンドラ状の作業架台とを備える。
【先行技術文献】
【特許文献】
【０００３】
【特許文献１】特開２００６−９４０７号公報
【非特許文献】
【０００４】
【非特許文献１】株式会社大林組  「東京スカイツリーを築いた技術  ５．特殊な構造を積み上げる  ｃ）外装工事をシステム化」、［online］、［平成３０年１１月２９日検索］、インターネット〈URL：https://www.obayashi.co.jp/chronicle/technology/c3s5_p3.html〉
【発明の概要】
【発明が解決しようとする課題】
【０００５】
外装材の重量によっては、建物の中から小型の移動式クレーンを使って取り付けることができない場合がある。そこで、建物の天井に取り付けられた天井クレーンの一部を建物の外に突出させ、この天井クレーンを用いて外装材を取り付けることが考えられる。この場合、外装材を広い範囲に設ける場合には、天井クレーンの可動範囲が狭いため、外装材の取付範囲に対して天井クレーンを頻繁に盛替えする必要があり、手間や時間が掛かっていた。
【課題を解決するための手段】
【０００６】
上記課題を解決する天井クレーンの盛替え方法は、下部に移動部と上部に固定部とを備えた台車に、前記固定部によって前記天井クレーンを固定して保持させ、前記天井クレーンを建物躯体の第１設置場所から取り外し、前記台車を、前記移動部によって、第２設置場所まで移動させ、前記台車に保持させた前記天井クレーンを前記建物躯体の第２設置場所に取り付け、前記固定部を前記天井クレーンから取り外す。
【０００７】
また、上記課題を解決する台車は、天井クレーンの盛替えに用いる台車であって、上部に設けられ昇降可能な複数の固定部と、下部に設けられた移動部とを備え、前記固定部は、昇降機構部と、前記天井クレーンの下面に当接して固定する当接部とを備える。
【発明の効果】
【０００８】
本発明によれば、天井クレーンの盛替え作業を効率的に行なうことができる。
【図面の簡単な説明】
【０００９】
【図１】実施形態における盛替え対象の天井クレーンの構成を説明する説明図であって、（ａ）は平面図、（ｂ）は正面図、（ｃ）は要部の斜視図。
【図２】実施形態において天井クレーンの盛替えに用いる台車の構成を説明する説明図であって、（ａ）は斜視図、（ｂ）は側面図、（ｃ）は正面図。
【図３】実施形態において台車を用いた天井クレーンの盛替え作業の処理手順を説明する説明図であって、（ａ）は天井クレーンの下への台車の配置、（ｂ）は前側の固定部の取り付け、（ｃ）は固定部の上昇、（ｄ）は（ｃ）の固定部の要部の拡大面、（ｅ）は建物からの天井クレーンの取り外し、（ｆ）は天井クレーンの移動の説明図。
【図４】実施形態において吊冶具の構成を説明する説明図。
【図５】実施形態において吊冶具を用いた天井クレーンの盛替え作業の処理手順を説明する説明図であって、（ａ）は吊冶具による天井クレーンの固定、（ｂ）は天井クレーンの建物からの取り外し、（ｃ）は天井クレーンの持ち上げの説明図。
【発明を実施するための形態】
【００１０】
以下、図１〜図５を用いて、天井クレーンの盛替え方法及びそれに用いる台車を具体化した一実施形態を説明する。
図１には、本実施形態で用いる天井クレーン１０を示す。図１（ａ）は天井クレーン１０の上面図、図１（ｂ）は、建物に取り付けた状態の天井クレーンの正面図、図１（ｃ）は天井クレーン１０の要部の斜視図である。
【００１１】
図１（ａ）に示すように、天井クレーン１０は、１対（２本）の走行レール１１、サドル１２、ガーダ１３、トロリ１４、連結部材１５及び斜材１６を備える。走行レール１１及びガーダ１３は、Ｈ形鋼で構成される。
【００１２】
１対の走行レール１１は、間隔をおいて平行に配置される。走行レール１１の両端部には、連結部材１５が固定されている。各連結部材１５は、対応する走行レール１１の端部をそれぞれ連結する。更に、走行レール１１の一端部側（建物の外側に配置される端部側）に斜材１６を設ける。
【００１３】
図１（ａ）〜（ｃ）に示すように、各走行レール１１の下方には、サドル１２が摺動可能に取り付けられている。各サドル１２には、ガーダ１３の各端部が固定される。これにより、ガーダ１３は、走行レール１１を跨ぐように配置され、サドル１２を介して走行レール１１の延在方向に沿って移動可能に構成される。ガーダ１３の延在方向には、トロリ１４が摺動可能に取り付けられる。このトロリ１４には、フックを巻き上げる巻上装置や操作装置が設けられる。操作装置により、サドル１２やトロリ１４の走行、巻上装置の昇降等を制御する。
【００１４】
図１（ｂ）に示すように、本実施形態の天井クレーン１０は、建物２０の外装材３０を、建物２０の外側に取り付ける際に用いる。この場合、天井クレーン１０を、斜材１６側の走行レール１１の一端部が建物２０から外に突出するように配置し、建物２０の大梁２１及び小梁２２に固定する。この大梁２１は、小梁２２よりも建物２０の外側に配置され、大梁２１及び小梁２２は、いずれもＩ形鋼で構成される。具体的には、天井クレーン１０の走行レール１１の中央部を、固定金物２６によって、大梁２１の下フランジに固定する。更に、走行レール１１の他端部上に連結部材２８を載置して固定し、この連結部材２８を、小梁２２の下フランジにクランプ部材２７によって固定する。この連結部材２８は、大梁２１と小梁２２との梁せいの差に応じた高さを有する。
【００１５】
天井クレーン１０で取り付ける外装材３０は、取付前に、建物２０の取付階まで搬送されて保管される。そして、取付時に、外装材３０を、カート３５で天井クレーン１０の下まで搬送し、天井クレーン１０のトロリ１４のフックに取り付けた後、トロリ１４の巻上装置で揚重する。その後、天井クレーン１０の走行レール１１に沿ってサドル１２を移動させることにより、外装材３０を取り付けたトロリ１４を建物２０の外側に配置する。次に、トロリ１４及び巻上装置により、外装材３０を建物２０の取付位置まで移動させる。そして、作業員が外装材３０を建物２０に取り付ける作業を行なう。
【００１６】
次に、図２を用いて、天井クレーン１０の盛替えに用いる台車５０について説明する。
図２（ａ）は台車５０の斜視図、図２（ｂ）は台車５０の側面図、図２（ｃ）は台車５０の正面図である。
【００１７】
図２（ａ）〜（ｃ）に示すように、台車５０は、略直方体形状の枠体（フレーム）の本体部で構成される。この本体部は、２つの前方垂直部材５１、２つの後方垂直部材５２、４つの下部連結部材５３、４つの上部連結部材５４及び複数の斜材５５を備える。
【００１８】
一対の前方垂直部材５１、一対の後方垂直部材５２の間隔は、それぞれ天井クレーン１０の１対の走行レール１１の間隔に対応している。前方垂直部材５１と後方垂直部材５２との間隔は、走行レール１１の長さの半分より長い。更に、この間隔は、建物２０の内部に位置する走行レール１１の長さより短い。
【００１９】
各下部連結部材５３は、垂直部材（５１，５２）の下部同士を連結する。各上部連結部材５４は、垂直部材（５１，５２）の上部同士を連結する。斜材５５は、垂直部材（５１，５２）を斜めに連結する。
【００２０】
また、各垂直部材（５１，５２）の下端部には、１対（２つ）の車輪Ｗ１が設けられている。
更に、各垂直部材（５１，５２）の上端部には、固定部５６，５７が設けられている。固定部５６は、前方垂直部材５１の上端部に着脱可能に設けられ、固定部５７は、後方垂直部材５２の上端部に固定される。各固定部５６，５７は、昇降機構部５６ａ，５７ａと、昇降機構部５６ａ，５７ａの上端に設けた当接部としての嵌合部５６ｂ，５７ｂとを備える。昇降機構部５６ａ，５７ａは、例えば、油圧ジャッキであって、台車５０に設けられた操作部（図示せず）の操作に応じて嵌合部５６ｂ，５７ｂを昇降する。嵌合部５６ｂ，５７ｂは、走行レール１１の下フランジを外嵌するコの字形状を有し、走行レール１１の下部を外嵌して当接する。
【００２１】
台車５０の両側面には、足場６０が設けられる。足場６０は、大梁２１及び小梁２２に固定した天井クレーン１０の走行レール１１の取り外しや取り付けを行なうために用いる。この足場６０は、建地部材６１、布地部材６２、腕木部材６３、足場板６４、幅木６５及び梯子６６を備える。
【００２２】
（同一フロアでの盛替え）
次に、図３を用いて、第１設置場所に取り付けられている天井クレーン１０を、台車５０を用いて、第２設置場所に盛替える手順について説明する。
【００２３】
まず、図３（ａ）に示すように、待機位置において、台車５０の前方垂直部材５１の上から、固定部５６を取り外した状態にする。そして、作業者は、台車５０を、待機位置から、天井クレーン１０の下方に移動させる。ここでは、台車５０の各垂直部材（５１，５２）が天井クレーン１０の走行レール１１の真下になるように移動させる。
【００２４】
次に、図３（ｂ）に示すように、台車５０の前方垂直部材５１の上に、固定部５６を取り付ける。
そして、図３（ｃ）に示すように、操作部により昇降機構部５６ａ，５７ａを作動させて、嵌合部５６ｂ，５７ｂを上昇させる。この場合、図３（ｄ）に示すように、嵌合部５６ｂ，５７ｂは、走行レール１１の下フランジを嵌合し、走行レール１１に対して上に押し付けることにより、固定する。
そして、ガーダ１３及びトロリ１４を、一体化された台車５０及び天井クレーン１０の重心位置に移動させる。
【００２５】
そして、図３（ｅ）に示すように、走行レール１１を建物２０から取り外す。具体的には、足場６０に作業者が上り、大梁２１の下フランジから固定金物２６を取り外し、小梁２２の下フランジからクランプ部材２７を取り外し、走行レール１１の上から連結部材２８を取り外す。この場合、取り外した連結部材２８を、走行レール１１にクランプ部材（図示せず）で固定しておく。
【００２６】
そして、図３（ｆ）に示すように、台車５０を、次の設置場所（第２設置場所）まで移動させる。
図３（ｅ）に示すように、第２設置場所の大梁２１及び小梁２２の真下に台車５０が到着した場合には、上述した作業の逆順番で、天井クレーン１０を設置する。
【００２７】
この場合、図３（ｃ）に示すように、足場６０に上った作業者により、大梁２１の下フランジに固定金物２６を取り付け、走行レール１１の上に連結部材２８を載せて固定し、この連結部材２８の上端部を、小梁２２の下フランジに、クランプ部材２７によって固定する。
【００２８】
そして、図３（ｂ）に示すように、操作部により昇降機構部５６ａ，５７ａを作動させて、嵌合部５６ｂ，５７ｂを降下させて、固定部５６，５７の嵌合部５６ｂ，５７ｂを走行レール１１から取り外す。次に、図３（ａ）に示すように、台車５０の前方垂直部材５１の上から、固定部５６を取り外す。そして、台車５０を、天井クレーン１０の真下から、待機位置に移動させる。
【００２９】
（異なるフロアでの盛替え）
次に、図４を用いて、第１設置場所に取り付けられている天井クレーン１０を異なる階（例えば上階）において盛替える際に用いる吊冶具７０について説明する。
【００３０】
図４に示すように、吊冶具７０は、天井クレーン１０の一端部に取り付ける冶具である。この吊冶具７０は、第１水平部材７１、第２水平部材７２及び斜材７３を備える。第１水平部材７１は、天井クレーン１０の走行レール１１のそれぞれと重なるように、走行レール１１と同じ間隔で配置される。第２水平部材７２は、第１水平部材７１の上に配置され、２つの第１水平部材７１の端部同士を連結する。各斜材７３は、第１水平部材７１及び第２水平部材７２の角を跨ぐように、第１水平部材７１の上面と第２水平部材７２の側面に固定される。
【００３１】
更に、吊冶具７０は、天井クレーン１０の吊り下げ時に、全体が水平方向にバランスするように構成されている。具体的には、トロリ１４を天井クレーン１０の先端部に配置した天井クレーン１０を吊冶具７０に固定して一体化させて吊り下げた場合に、全体が水平方向にバランスする。
【００３２】
次に、図５を用いて、第１設置場所に取り付けられた天井クレーン１０を、吊冶具７０を用いて盛替える手順について説明する。ここでは、吊冶具７０を、建物２０の上に設置したタワークレーン（図示せず）のフックブロック８０に吊るす。
【００３３】
そして、図５（ａ）の二点鎖線で示した吊冶具７０を、建物２０側に引き寄せ、天井クレーン１０の端部の上に、固定金物（図示せず）で固定する。そして、天井クレーン１０の操作部を操作して、ガーダ１３及びトロリ１４を、建物２０より外側となるように移動させる。この場合、ガーダ１３及びトロリ１４は、一体化された吊冶具７０及び天井クレーン１０の重心位置に移動させる。
【００３４】
次に、図５（ｂ）に示すように、天井クレーン１０の走行レール１１を建物２０から取り外す。具体的には、大梁２１の下フランジから固定金物２６を取り外し、小梁２２の下フランジからクランプ部材２７を取り外し、走行レール１１の上から連結部材２８を取り外す。
【００３５】
そして、図５（ｃ）で示すように、天井クレーン１０を建物から離して、タワークレーンのフックブロック８０を上昇させ、フックブロック８０に固定された吊冶具７０と天井クレーン１０とを、盛替える階まで上昇させる。
【００３６】
そして、盛替える階まで、吊冶具７０と天井クレーン１０とを上昇させた場合には、上述した作業の逆順番で、天井クレーン１０を設置する。
この場合、図５（ｂ）に示すように、天井クレーン１０を建物２０の内部に引き込む。次に、図５（ａ）に示すように、大梁２１の下フランジに固定金物２６を取り付け、走行レール１１の上に連結部材２８を載せて固定し、この連結部材２８の上端部を、小梁２２の下フランジに、クランプ部材２７によって固定する。
そして、天井クレーン１０のトロリ１４を、建物２０の内側に移動させる。その後、固定金物を取り外すことにより、天井クレーン１０から吊冶具７０を取り外す。
【００３７】
本実施形態によれば、以下のような効果を得ることができる。
（１）本実施形態では、下部に車輪Ｗ１を備えた台車５０の上部の固定部５６，５７に、天井クレーン１０を固定して保持させた後で、天井クレーン１０を梁（２１，２２）から取り外して、台車５０を移動させる。そして、新たな設置場所に到着した場合、台車５０に保持させた天井クレーン１０を梁（２１，２２）に取り付け、固定部５６，５７を天井クレーン１０から取り外す。これにより、天井クレーン１０を、解体することなく、効率的に盛替えることができる。
【００３８】
（２）本実施形態では、台車５０の垂直部材（５１，５２）は、天井クレーン１０の走行レール１１に対応するように配置される。垂直部材（５１，５２）には、昇降可能な嵌合部５６ｂ，５７ｂを備えた固定部５６，５７が取り付けられる。これにより、垂直部材（５１，５２）の上端部に設けた固定部５６，５７を上昇させて、固定部５６，５７を上に（走行レール１１に）押し付けて、走行レール１１を効率的に固定することができる。更に、ガーダ１３及びトロリ１４を、一体化された台車５０及び天井クレーン１０の重心位置に移動させるので、台車５０を安定して移動させることができる。
【００３９】
（３）本実施形態では、台車５０の固定部５６，５７は、走行レール１１の下フランジを外嵌する嵌合部５６ｂ，５７ｂを有する。これにより、固定部５６，５７の嵌合部５６ｂ，５７ｂを、天井クレーン１０の走行レール１１に嵌合させて、天井クレーン１０を台車５０に固定することができる。
【００４０】
（４）本実施形態では、台車５０の前方垂直部材５１の上端部の固定部５６は、着脱可能に設けられている。これにより、台車５０を、建物２０の内部の待機位置から、天井クレーン１０の真下に移動させる際には、前方垂直部材５１の上端部を低くすることができるので、スムーズに台車５０を移動させることができる。
【００４１】
（５）本実施形態では、天井クレーン１０は、小梁２２に連結部材２８を介して取り付けることにより、走行レール１１を水平に取り付けることができる。更に、台車５０に天井クレーン１０を固定して保持させた後で、天井クレーン１０を小梁２２から取り外した場合、連結部材２８を、天井クレーン１０に取り付ける。これにより、台車５０で、連結部材２８も、天井クレーン１０と一緒に、次の設置場所に搬送することができる。
【００４２】
（６）本実施形態では、台車５０は足場６０を備える。これにより、作業者は、この足場６０に上り、効率的に、天井クレーン１０の梁（２１，２２）への取り外しや取り付けを行なうことができる。
【００４３】
（７）本実施形態では、建物２０の外において吊られた吊冶具７０を、建物２０の外側に配置されている天井クレーン１０の走行レール１１の先端部に取り付け、天井クレーン１０を梁（２１，２２）から取り外し、吊冶具７０を上昇させて次の階に移動させて、天井クレーン１０を梁（２１，２２）に取り付ける。これにより、建物２０の外側に先端部が突出している天井クレーン１０を効率的に、違う階に盛替えることができる。
【００４４】
（８）本実施形態では、吊冶具７０を、天井クレーン１０の先端部に固定した後、天井クレーン１０を梁（２１，２２）から取り外す前に、天井クレーン１０のガーダ１３及びトロリ１４を、建物２０の外に移動させる。これにより、昇降時には、天井クレーン１０の重心を建物２０の外に配置して、建物２０の外から天井クレーン１０の重心近傍を吊るので、建物２０から引っ張り出しやすく、また安定して吊ることができる。
【００４５】
（９）本実施形態では、トロリ１４を天井クレーン１０の先端部に配置して、この吊冶具７０を天井クレーン１０に固定した場合に、全体が水平方向にバランスするように、吊冶具７０を構成する。これにより、天井クレーン１０は水平に保たれるので、新たな設置場所において、大梁２１や小梁２２への天井クレーン１０の固定を容易に行なうことができる。
【００４６】
本実施形態は、以下のように変更して実施することができる。本実施形態及び以下の変更例は、技術的に矛盾しない範囲で互いに組み合わせて実施することができる。
・上記実施形態においては、台車５０は、天井クレーン１０の走行レール１１を固定した。台車５０が固定する天井クレーン１０の箇所は、走行レール１１に限られない。天井クレーンを取り外した際に、天井クレーンを固定して保持できる箇所であればよく、例えば、台車によって、天井クレーンの走行レール及びガーダを固定してもよい。
【００４７】
・上記実施形態においては、天井クレーン１０を、走行レール１１の一部が建物２０の外に突出するように、建物２０の大梁２１及び小梁２２に固定した。盛替え対象の天井クレーン１０は、このような配置や構成に限られない。例えば、建物２０から突出しないように天井クレーン１０を配置してもよいし、梁以外の建物躯体に、例えば、建物の柱に、連結部材を介して固定してもよい。
【００４８】
・上記実施形態の台車５０は、両側面に、前後方向に延在する足場６０を設けた。足場６０の配置は、台車５０の側面に限られない。例えば、天井クレーン１０が取り付けられる梁（５１，５２）に対応して４つの足場を設けてもよいし、両側面を連結する背面側の足場を更に設けてもよい。
【００４９】
・上記実施形態においては、嵌合部５６ｂ，５７ｂを、垂直部材（５１，５２）の上部に設けた昇降機構部５６ａ，５７ａによって昇降させる。嵌合部５６ｂ，５７ｂの昇降方法は、これに限られない。例えば、垂直部材（５１，５２）と車輪Ｗ１との間に昇降機構部を配置したり、台車５０の垂直部材（５１，５２）を伸縮させて昇降させたりしてもよい。
【００５０】
・上記実施形態においては、吊冶具７０は、天井クレーン１０の走行レール１１の間隔に応じた間隔で配置した第１水平部材７１を備える。吊冶具７０の形状は、これに限定されず、天井クレーン１０に固定した場合に、天井クレーンを安定した状態で吊ることができる形状であればよい。
【００５１】
次に、上記実施形態及び別例から把握できる技術的思想について、それらの効果とともに以下に追記する。
（ａ）前記天井クレーンが、連結部材を介して前記第１設置場所に取り付けられ、
前記天井クレーンを前記建物躯体から取り外した後に、前記連結部材を前記天井クレーン又は前記台車に固定し、
前記第２設置場所において、前記連結部材を介して、前記天井クレーンを前記建物躯体に固定することを特徴とする請求項１又は２に記載の天井クレーンの盛替え方法。
従って、この（ａ）に記載の発明によれば、天井クレーンを水平に取り付けるための連結部材も、台車で、天井クレーンと一緒に、次の設置場所に搬送することができる。
【００５２】
（ｂ）前記天井クレーンは、建物の外側に先端部が配置され、
前記建物の外側において吊られた吊冶具を、前記天井クレーンの前記先端部に固定し、前記天井クレーンを建物躯体の第１設置場所から取り外した後、
前記天井クレーンを保持した前記吊冶具を、前記第１設置場所とは異なる階まで昇降させ、
前記異なる階に到着した前記吊冶具に保持された天井クレーンを、前記建物の内部に引き込んだ後、前記建物躯体の第３設置場所に取り付け、
前記吊冶具を前記天井クレーンから取り外すことを特徴とする請求項１、２及び前記（ａ）の何れか１項に記載の天井クレーンの盛替え方法。
従って、この（ｂ）に記載の発明によれば、建物の外側に先端部が配置された天井クレーンを、効率的に、異なる階に盛替えることができる。
【００５３】
（ｃ）前記吊冶具を、前記天井クレーンの前記先端部に固定した後、前記天井クレーンを前記建物躯体から取り外す前に、前記天井クレーンのトロリを、前記建物よりも外側に移動させることを特徴とする前記（ｂ）に記載の天井クレーンの盛替え方法。
従って、この（ｃ）に記載の発明によれば、安定して天井クレーンを異なる階に盛替えることができる。
【符号の説明】
【００５４】
Ｗ１…車輪、１０…天井クレーン、１１…走行レール、１２…サドル、１３…ガーダ、１４…トロリ、１５，２８…連結部材、１６，５５，７３…斜材、２０…建物、２１…大梁、２２…小梁、２６…固定金物、２７…クランプ部材、３０…外装材、３５…カート、５０…台車、５１…前方垂直部材、５２…後方垂直部材、５３…下部連結部材、５４…上部連結部材、５６，５７…固定部、５６ａ，５７ａ…昇降機構部、５６ｂ，５７ｂ…嵌合部、６０…足場、６１…建地部材、６２…布地部材、６３…腕木部材、６４…足場板、６５…幅木、６６…梯子、７０…吊冶具、７１…第１水平部材、７２…第２水平部材、８０…フックブロック。
【図１】
2020093919.tif 000003
【図２】
2020093919.tif 000004
【図３】
2020093919.tif 000005
【図４】
2020093919.tif 000006
【図５】
2020093919.tif 000007